(57)【要約】【課題】被施療者の各下肢を容易に収容することができるとともに、被施療者の各下肢を適切に施療することができるようにする。【解決手段】下肢用マッサージ装置１は、筐体２と、筐体２の後部から挿入された被施療者の下肢Ｌ，Ｌを筐体２内に収容するための収容部９，９と、各収容部９に配置され、被施療者の各下肢Ｌを施療するための施療部１０，１０と、収容部９，９の後部近傍に配置された第１支持用エアバッグ２１，２１，…および支持用帯部３０，３０を有する支持体２０と、を備えている。支持体２０は、各収容部９に収容された被施療者の各下肢Ｌを後方から支持するように構成されている。【選択図】図６
2020031910.tif 000002
【特許請求の範囲】
【請求項１】
被施療者の下肢を施療するための下肢用マッサージ装置であって、
筐体と、
前記筐体の後部から挿入された被施療者の下肢を前記筐体内に収容するための収容部と、
前記収容部に配置され、被施療者の各下肢を施療するための施療部と、
前記収容部の後部近傍に配置された支持体と、を備え、
前記支持体は、前記収容部に収容された被施療者の各下肢を後方から支持するように構成されている、下肢用マッサージ装置。
【請求項２】
請求項１に記載の下肢用マッサージ装置において、
前記支持体は、前記収容部において前記施療部よりも後方に配置された第１支持用エアバッグを有しており、
前記第１支持用エアバッグは、前記収容部に収容された被施療者の各下肢の後部を膨張により前方に向かって押圧するように構成されている、下肢用マッサージ装置。
【請求項３】
請求項２に記載の下肢用マッサージ装置において、
前記支持体は、前記筐体の後部に配置され、前記収容部を後方から覆うように閉塞可能な支持用帯部を有しており、
前記支持用帯部は、膨張状態の前記第１支持用エアバッグを介して、前記収容部に収容された被施療者の各下肢を後方から支持する支持面を含む、下肢用マッサージ装置。
【請求項４】
請求項１に記載の下肢用マッサージ装置において、
前記支持体は、前記筐体の後部に配置され、前記収容部を後方から覆うように閉塞可能な支持用帯部を有しており、
前記支持用帯部は、前記収容部に収容された被施療者の各下肢を後方から支持する支持面を含む、下肢用マッサージ装置。
【請求項５】
請求項４に記載の下肢用マッサージ装置において、
前記支持用帯部には、中空状の空間部が形成されており、
前記空間部には、第２支持用エアバッグが配設されており、
前記第２支持用エアバッグは、前記支持用帯部が前記収容部を閉塞した状態において、前記収容部に収容された被施療者の各下肢の後部を膨張により前方に向かって押圧するように構成されている、下肢用マッサージ装置。
【請求項６】
請求項４または５に記載の下肢用マッサージ装置において、
前記支持用帯部には、前記支持面から前方に向かって突出した少なくとも１つの突起部を有する指圧体が設けられている、下肢用マッサージ装置。
【発明の詳細な説明】
【技術分野】
【０００１】
本発明は、下肢用マッサージ装置に関するものである。
【背景技術】
【０００２】
従来から、例えば特許文献１のように、被施療者の下肢を施療するための下肢用マッサージ装置が知られている。
【０００３】
具体的に、この特許文献１には、本体と、本体の上部に設けられていて、本体の上部から挿入された被施療者の各下肢を本体内に収容するための空間を有する足入れ部と、足入れ部の空間内に配置され、被施療者の各下肢を施療するための施療部（複数のエアバッグ）と、を備えた下肢用マッサージ装置が開示されている。
【先行技術文献】
【特許文献】
【０００４】
【特許文献１】実用新案登録第３１８８３６１号公報
【発明の概要】
【発明が解決しようとする課題】
【０００５】
特許文献１の下肢用マッサージ装置では、被施療者の各下肢全体を覆うように足入れ部の空間内に収容することが可能となっている。すなわち、被施療者の各下肢は、足入れ部の空間内において安定した状態で収容されている。そして、特許文献１の下肢用マッサージ装置では、足入れ部の空間内に配置された施療部により被施療者の各下肢を適切に施療することが可能となっている。
【０００６】
しかしながら、特許文献１の下肢用マッサージ装置では、例えば椅子などに着座した状態の被施療者が足入れ部に各下肢を挿入する場合において、各下肢を本体の上部よりも上方に持ち上げてから足入れ部に挿入しなければならなかった。このように、特許文献１の下肢用マッサージ装置では、施療部により被施療者の各下肢を適切に施療することができる反面、被施療者の各下肢を足入れ部の空間内に収容することが容易ではなかった。
【０００７】
本発明は斯かる点に鑑みてなされたものであり、その目的は、被施療者の各下肢を容易に収容することができるとともに、被施療者の各下肢を適切に施療することができるようにすることにある。
【課題を解決するための手段】
【０００８】
上記の目的を達成するために、本発明の第１の形態は被施療者の下肢を施療するための下肢用マッサージ装置に係るものであり、この下肢用マッサージ装置は、筐体と、筐体の後部から挿入された被施療者の下肢を筐体内に収容するための収容部と、収容部に配置され、被施療者の各下肢を施療するための施療部と、収容部の後部近傍に配置された支持体と、を備えている。そして、支持体は、収容部に収容された被施療者の各下肢を後方から支持するように構成されていることを特徴とする。
【０００９】
この第１の形態は、筐体の後部から挿入された被施療者の下肢を筐体内に収容するための収容部を備えている。これにより、被施療者は、椅子に着座した状態において、下肢を収容部内に挿入しやすくなる。また、支持体は、収容部の後部近傍に配置されていて、収容部に収容された被施療者の各下肢を後方から支持するように構成されている。かかる構成により、収容部において被施療者の各下肢が施療部により施療されているときに、各下肢が収容部から筐体後部の外側に向かって抜け出にくくなる。すなわち、被施療者の各下肢は、支持体により収容部内に安定的に支持される。その結果、被施療者の各下肢を、収容部において施療部により適切に施療することが可能となる。したがって、第１の形態では、被施療者の各下肢を容易に収容することができるとともに、被施療者の各下肢を適切に施療することができる。
【００１０】
第２の形態は、第１の形態において、支持体は、収容部において施療部よりも後方に配置された第１支持用エアバッグを有している。そして、第１支持用エアバッグは、収容部に収容された被施療者の各下肢の後部を膨張により前方に向かって押圧するように構成されていることを特徴とする。
【００１１】
この第２の形態では、各下肢が収容部から筐体後部の外側に向かって抜け出にくくなる。すなわち、各下肢を収容部内に安定的に支持することができる。さらに、第１支持用エアバッグが被施療者の各下肢の後部を膨張により前方に向かって押圧することから、被施療者の各下肢の後部に対して施療することもできる。
【００１２】
第３の形態は、第２の形態において、支持体は、筐体の後部に配置され、収容部を後方から覆うように閉塞可能な支持用帯部を有している。そして、支持用帯部は、膨張状態の第１支持用エアバッグを介して、収容部に収容された被施療者の各下肢を後方から支持する支持面を含むことを特徴とする。
【００１３】
この第３の形態では、支持体の支持用帯部により、第１支持用エアバッグが膨張の過程において収容部から筐体後部の外側に向かって移動しないようになる。その結果、被施療者の各下肢は、膨張状態の第１支持用エアバッグおよび支持用帯部の双方により収容部内に安定的に支持されるようになる。したがって、第３の形態では、各収容部に収容された被施療者の各下肢を施療部により適切に施療することができる。
【００１４】
第４の形態は、第１の形態において、支持体は、筐体の後部に配置され、収容部を後方から覆うように閉塞可能な支持用帯部を有している。そして、支持用帯部は、収容部に収容された被施療者の各下肢を後方から支持する支持面を含むことを特徴とする。
【００１５】
この第４の形態では、支持用帯部の支持面により、被施療者の各下肢が収容部から筐体後部の外側に向かって抜け出にくくなる。すなわち、被施療者の各下肢は、支持体の支持面により収容部内に安定的に支持される。これにより、収容部において被施療者の各下肢が施療部により適切に施療される。したがって、第４の形態では、被施療者の各下肢を容易に収容することができるとともに、被施療者の各下肢を適切に施療することができる。
【００１６】
第５の形態は、第４の形態において、支持用帯部には、中空状の空間部が形成されており、空間部には、第２支持用エアバッグが配設されている。そして、第２支持用エアバッグは、支持用帯部が収容部を閉塞した状態において、収容部に収容された被施療者の各下肢の後部を膨張により前方に向かって押圧するように構成されていることを特徴とする。
【００１７】
この第５の形態では、被施療者の各下肢の後部を、支持用帯部の支持面を介して第２支持用エアバッグにより施療することができる。
【００１８】
第６の形態は、第４または第５の形態において、支持用帯部には、支持面から前方に向かって突出した少なくとも１つの突起部を有する指圧体が設けられていることを特徴とする。
【００１９】
この第６の形態では、被施療者の各下肢の後部に対して指圧効果を付与することができる。特に、第５の形態では、第２支持用エアバッグの膨張により指圧体が支持用帯部の支持面とともに前方に向かって移動することから、被施療者の各下肢の後部に対する指圧効果をより一層高めることができる。
【発明の効果】
【００２０】
以上説明したように、本発明によると、被施療者の各下肢を容易に収容することができるとともに、被施療者の各下肢を適切に施療することができる。
【図面の簡単な説明】
【００２１】
【図１】図１は、第１実施形態に係る下肢用マッサージ装置の構成を正面側から見て示す全体斜視図である。
【図２】図２は、第１実施形態に係る下肢用マッサージ装置の構成を背面側から見て示す全体斜視図である。
【図３】図３は、第１〜第４施療用エアバッグと被施療者の下肢の各部位との位置関係を概略的に示す概略図である。
【図４】図４は、平面視において右側に位置する収容部近傍の各構成を部分的に拡大して示す部分拡大平面図である。
【図５】図５は、第１施療用エアバッグが膨張する様子を概略的に示す図４相当図である。
【図６】図６は、第１施療用エアバッグおよび第１支持用エアバッグの各々が膨張する様子を概略的に示す図４相当図である。
【図７】図７は、第２実施形態に係る下肢用マッサージ装置おいて、右側に位置する収容部近傍の各構成を部分的に拡大して示す部分拡大平面図である。
【図８】図８は、第３実施形態に係る下肢用マッサージ装置おいて、右側に位置する収容部近傍の各構成を部分的に拡大して示す部分拡大平面図である。
【図９】図９は、第３実施形態に係る下肢用マッサージ装置おいて、指圧部をカバー部の収容部に収容する様子を概略的に示す概略図である。
【図１０】図１０は、第４実施形態に係る下肢用マッサージ装置の構成を正面側から見て示す図１相当図である。
【図１１】図１１は、第４実施形態に係る下肢用マッサージ装置の構成を背面側から見て示す図２相当図である。
【図１２】図１２は、その他の実施形態に係る下肢用マッサージ装置おいて、指圧部をカバー部の収容部に収容する様子を概略的に示す図６相当図である。
【発明を実施するための形態】
【００２２】
以下、本発明の各実施形態を図面に基づいて詳細に説明する。以下の各実施形態の説明は、本質的に例示に過ぎず、本発明、その適用物或いはその用途を制限することを意図するものではない。
【００２３】
［第１実施形態］
図１および図２は、本発明の第１実施形態に係る下肢用マッサージ装置１の全体を示している。この下肢用マッサージ装置１は、被施療者の下肢を施療するためのものである。
【００２４】
以下の説明において、図１に示した下肢用マッサージ装置１の視認側を前側（正面側）をとする一方、図２に示した下肢用マッサージ装置１の視認側を後側（背面側）として定めるものとする。また、右側および左側とは、下肢用マッサージ装置１を正面側から見たときの左右方向における位置関係を表すものとする。
【００２５】
（筐体）
図１および図２に示すように、下肢用マッサージ装置１は、筐体２を備えている。筐体２内には、エアポンプ、電磁弁、給気用エアホースなどにより構成される空気給排気部（図示せず）が設けられている。
【００２６】
筐体２の上部には、パネル状の操作部３が設けられている。操作部３には、下肢用マッサージ装置１の電源ＯＮ／ＯＦＦ、各種マッサージコースの選択、および後述する各エアバッグにおける空圧施療の強弱調整などを行うためのものである。
【００２７】
筐体２には、蓋部４が設けられている。蓋部４は、正面視で略矩形状に形成されている。蓋部４は、布状の連結部５により後述する前壁部７の上側に連結されている。蓋部４は、不使用時において前壁部７の正面側に配置される一方、使用時において筐体２の上部に配置されるように構成されている。そして、使用者は、蓋部４を筐体２の上部に載せた状態で下肢用マッサージ装置１の上側に座ることが可能となる。
【００２８】
図２に示すように、筐体２は、基台部６を有している。基台部６は、筐体２の下部側に配置されている。基台部６は、板状に形成されている。基台部６は、筐体２の左右方向に延びかつ筐体２の後部から前部近傍に亘って延びている。基台部６の上面は、後述する収容部９に収容された被施療者の足裏を載置可能な載置面６ａとして構成されている。
【００２９】
図１および図２に示すように、基台部６には、前壁部７が設けられている。前壁部７は、壁状に形成されている。前壁部７は、基台部６と一体形成されている。前壁部７は、側面視において下端部から上端部に向かって筐体２の後部に向かうように傾斜している。また、前壁部７は、平面視において、後述する中央壁部８ａと各側壁部８ｂとの間に位置する部分の裏面が前方に向かって凹陥状に湾曲するように形成されている。
【００３０】
基台部６には、中央壁部８ａおよび側壁部８ｂ，８ｂが設けられている。中央壁部８ａおよび側壁部８ｂ，８ｂは、基台部６および前壁部７と一体形成されている。中央壁部８ａは、基台部６の左右方向略中央から上方に向かって壁状に延びている。側壁部８ｂ，８ｂは、基台部６の左右方向の両端部から上方に向かって略壁状に延びている。
【００３１】
（収容部）
次に、図１および図２に示すように、下肢用マッサージ装置１は、収容部９，９を備えている。各収容部９は、筐体２の後部から挿入された被施療者の各下肢Ｌを筐体２内に収容するためのものである。各収容部９は、基台部６、前壁部７、中央壁部８ａ、および側壁部８ｂにより囲まれた空間として構成されている。各収容部９は、筐体２の後方および上方に向かって開口している。収容部９，９は、筐体２の左右方向において互いに間隔をあけて配置されている。なお、各収容部９には、例えば図示しないクッション材および布材が設けられている。
【００３２】
（施療部）
図３に示すように、下肢用マッサージ装置１は、施療部１０，１０を備えている。施療部１０，１０は、被施療者の下肢Ｌ，Ｌを施療するためのものである。
【００３３】
各施療部１０は、少なくとも１つの施療用エアバッグを有している。具体的に、各施療部１０は、第１施療用エアバッグ１１，１１と、第２施療用エアバッグ１２，１２と、第３施療用エアバッグ１３，１３と、第４施療用エアバッグ１４と、を有している。各第１施療用エアバッグ１１は、例えば軟質樹脂材やナイロンのシート材を用いてブロー成形により製造される。第２施療用エアバッグ１２，１２ないし第４施療用エアバッグ１４の各々についても、各第１施療用エアバッグ１１と同様である。
【００３４】
図４〜図６に示すように、各第１施療用エアバッグ１１は、シート状に形成された取付部１１ａを有している。なお、第２施療用エアバッグ１２，１２ないし第４施療用エアバッグ１４の各々についても、各第１施療用エアバッグ１１と同様に、シート状に形成された取付部（図示せず）を有している。
【００３５】
第１施療用エアバッグ１１，１１ないし第４施療用エアバッグ１４は、収容部９内に配置されていて、上記空気給排気部から空気の供給を受けて膨張するように構成されている。そして、第１施療用エアバッグ１１，１１ないし第４施療用エアバッグ１４は、収容部９において被施療者の下肢Ｌの各部位を押圧するように構成されている。
【００３６】
第１施療用エアバッグ１１，１１は、被施療者の脹ら脛からすね側（特に足三里）に亘る部位を左右方向から押圧するように構成されている（図５および図６参照）。第２施療用エアバッグ１２，１２は、被施療者の足首近傍を左右方向から押圧するように構成されている。第３施療用エアバッグ１３，１３は、被施療者の足の甲部を左右方向から押圧するように構成されている。第４施療用エアバッグ１４は、被施療者の足裏を下方から押圧するように構成されている。
【００３７】
（カバー部）
図２および図４〜図６に示すように、各収容部９には、カバー部１５，１５が設けられている。各カバー部１５は、例えば伸縮性を有する生地材からなる。各カバー部１５は、第１施療用エアバッグ１１ないし第４施療用エアバッグ１４および後述する第１支持用エアバッグ２１を覆うように袋状に形成されている。
【００３８】
（支持体）
次に、図２に示すように、下肢用マッサージ装置１は、支持体２０を備えている。支持体２０は、各収容部９に収容された被施療者の各下肢Ｌを後方から支持するように構成されている。支持体２０は、収容部９，９の後部近傍に配置されている。
【００３９】
図４〜図６に示すように、支持体２０は、第１支持用エアバッグ２１，２１，…を有している。各第１支持用エアバッグ２１は、例えば軟質樹脂材やナイロンのシート材を用いてブロー成形により製造される。各第１支持用エアバッグ２１は、シート状に形成された取付部２１ａを有している。
【００４０】
第１支持用エアバッグ２１，２１は、収容部９の後部近傍に配置されている。具体的に、第１支持用エアバッグ２１，２１は、収容部９において第１施療用エアバッグ１１，１１よりも後方の位置に配置されている。
【００４１】
第１施療用エアバッグ１１，１１および第１支持用エアバッグ２１，２１の各々は、中央壁部８ａおよび側壁部８のいずれか一方に固定されている。具体的に、第１施療用エアバッグ１１および第１支持用エアバッグ２１は、取付部１１ａ，２１ａの各々の先端部同士が互いに前後方向に重ね合わされた状態で締結部材Ｖにより中央壁部８ａおよび側壁部８ｂのいずれか一方に取付固定されている。そして、図６に示すように、第１支持用エアバッグ２１は、収容部９に収容された被施療者の各下肢Ｌの後部を膨張により前方に向かって押圧するように構成されている。
【００４２】
また、図１および図２に示すように、支持体２０は、固定部２２，２２および受台部２３を有している。固定部２２，２２および受台部２３は、後述する支持用帯部３０，３０を筐体２の後部に配置するためのものである。
【００４３】
固定部２２は、例えば四角柱状に形成されていて、側壁部８ｂの後面に取付固定されている。受台部２３は、中央壁部８ａの後面に取付固定されている。
【００４４】
受台部２３は、突出部２３ｂ，２３ｂおよびフック部２３ａ，２３ａ，…を含んでいる。突出部２３ｂ，２３ｂは、中央壁部８ａの後面から後方に向かって突出するように形成されかつ左右方向に間隔をあけて配置されている。フック部２３ａ，２３ａは、後述する各係止孔３２を着脱可能に係止するためのものである。各フック部２３ａは、各突出部２３ｂの内側面から左右方向に突出するように形成されている。また、各フック部２３ａは、その先端部が上方に向くように略鉤爪状に形成されている。フック部２３ａ，２３ａは、上下方向において互いに間隔をあけて配置されている。
【００４５】
次に、図１および図２に示すように、支持体２０は、支持用帯部３０，３０を有している。各支持用帯部３０は、例えば伸縮性を有する生地材からなる。各支持用帯部３０は、各側壁部８ｂ寄りの端部が固定部２２に固定された状態で筐体２の後部に配置されている。
【００４６】
各支持用帯部３０は、前後方向において各収容部９と対向する支持面３１を含む。また、各支持用帯部３０には、各フック部２３ａに対し着脱可能に係止される係止孔３２，３２が形成されている。各係止孔３２は、各支持用帯部３０の一部が略四角形状に貫通するように形成されている。係止孔３２，３２は、固定部２２の反対側に位置する端部寄りに配置されていて、上下方向において互いに間隔をあけて配置されている。
【００４７】
各支持用帯部３０には、係止孔３２，３２を補強するための補強部３２ａが設けられている。補強部３２ａは、各収容部９が各支持用帯部３０により閉塞されていない状態（開状態）において、各側壁部８ｂの外側面に設けられた図示しないマグネット部材の磁力により吸着されるように構成されている。
【００４８】
補強部３２ａは、例えば鉄などの磁性体からなり、上下方向に延びる略板状に形成されている。補強部３２ａは、各支持用帯部３０において支持面３１の反対側の面に配置されている。また、補強部３２ａは、各支持用帯部３０において固定部２２の反対側に位置する端部寄りに配置されている。補強部３２ａには、各係止孔３２の位置に対応するように各係止孔３２と同じ形状および同じ大きさの孔部が貫通形成されている。
【００４９】
次に、図１、図２、および図４に示すように、補強部３２ａが上記マグネット部材に吸着された状態では、各収容部９が各支持用帯部３０により閉塞されていない状態（開状態）となる。一方、図５に示すように、係止孔３２，３２がフック部２３ａ，２３ａに係止された状態では、各収容部９が各支持用帯部３０により閉塞された状態（閉状態）となる。このように、支持用帯部３０は、収容部９を後方から覆うように閉塞可能となっている。そして、図６に示すように、支持用帯部３０は、支持面３１が膨張状態の第１支持用エアバッグ２１，２１を介して収容部９に収容された被施療者の各下肢Ｌを後方から支持するように構成されている。
【００５０】
［第１実施形態の作用効果］
以上のように、下肢用マッサージ装置１は、筐体２の後部から挿入された被施療者の各下肢Ｌを筐体２内に収容するための収容部９，９を備えている。これにより、被施療者は、図示しない椅子に着座した状態において、各下肢Ｌを各収容部９内に挿入しやすくなる。また、下肢用マッサージ装置１は、収容部９，９の後部近傍に配置された支持体２０を備えている。そして、支持体２０は、各収容部９に収容された被施療者の各下肢Ｌを後方から支持するように構成されている。かかる構成により、各収容部９において被施療者の各下肢Ｌが施療部１０により施療されているときに、各下肢Ｌが各収容部９から筐体２後部の外側に向かって抜け出にくくなる。すなわち、被施療者の各下肢Ｌは、支持体２０により各収容部９内に安定的に支持される。その結果、被施療者の各下肢Ｌを、各収容部９において施療部１０により適切に施療することが可能となる。したがって、第１実施形態に係る下肢用マッサージ装置１では、被施療者の各下肢Ｌを容易に収容することができるとともに、被施療者の各下肢Ｌを適切に施療することができる。
【００５１】
また、第１支持用エアバッグ２１は、各収容部９に収容された被施療者の各下肢Ｌの後部を膨張により前方に向かって押圧するように構成されている。かかる構成より、各下肢Ｌが各収容部９から筐体２後部の外側に向かって抜け出にくくなる。すなわち、各下肢Ｌを各収容部９内に安定的に支持することができる。さらに、第１支持用エアバッグ２１が被施療者の各下肢Ｌの後部を膨張により前方に向かって押圧することから、被施療者の各下肢Ｌの後部に対して施療することもできる。
【００５２】
また、支持用帯部３０は、膨張状態の第１支持用エアバッグ２１，２１を介して、各収容部９に収容された被施療者の各下肢Ｌを後方から支持する支持面３１を含む。このため、第１支持用エアバッグ２１は、膨張の過程において、各支持用帯部３０の支持面３１により各収容部９から筐体２後部の外側に向かって移動しないようになる。その結果、被施療者の各下肢Ｌは、膨張状態の第１支持用エアバッグ２１，２１および各支持用帯部３０の双方により各収容部９内に安定的に支持されるようになる。したがって、下肢用マッサージ装置１では、各収容部９に収容された被施療者の各下肢Ｌを施療部１０により適切に施療することができる。
【００５３】
［第２実施形態］
図７は、本発明の第２実施形態に係る下肢用マッサージ装置１を示す。この実施形態では、上記第１実施形態と比較して、支持体２０の構成が一部異なっている。なお、この実施形態に係る下肢用マッサージ装置１の他の構成は、上記第１実施形態に係る下肢用マッサージ装置１の構成と同様である。このため、以下の説明では、図１〜図６と同じ部分について同じ符号を付し、その詳細な説明を省略する。
【００５４】
図７に示すように、この実施形態において、支持体２０は、上記第１実施形態で示した第１支持用エアバッグ２１，２１，…を有していない。そして、各支持用帯部３０は、支持面３１が各収容部９に収容された被施療者の各下肢Ｌを後方から支持するように構成されている。この各支持用帯部３０の支持面３１により、被施療者の各下肢Ｌが各収容部９から筐体２後部の外側に向かって抜け出にくくなる。すなわち、被施療者の各下肢Ｌは、支持面３１により各収容部９内に安定的に支持される。これにより、各収容部９において被施療者の各下肢Ｌが施療部１０により適切に施療される。
【００５５】
したがって、この実施形態に係る下肢用マッサージ装置１であっても、上記第１実施形態と同様に、被施療者の各下肢Ｌを容易に収容することができるとともに、被施療者の各下肢Ｌを適切に施療することができる。
【００５６】
［第３実施形態］
図８および図９は、本発明の第３実施形態に係る下肢用マッサージ装置１を示す。この実施形態では、上記第２実施形態と比較して、支持用帯部３０，３０の構成が一部異なっている。なお、この実施形態に係る下肢用マッサージ装置１の他の構成は、上記第２実施形態に係る下肢用マッサージ装置１の構成と同様である。このため、以下の説明では、図７と同じ部分について同じ符号を付し、その詳細な説明を省略する。
【００５７】
図８に示すように、この実施形態において、各支持用帯部３０は、２枚の布材が互いに重ね合わされた状態で積層状に形成されている。そして、各支持用帯部３０の内部には、中空状の空間部３３が形成されている。この空間部３３には、第２支持用エアバッグ３４が配設されている。なお、第２支持用エアバッグ３４は、第１支持用エアバッグ２１の構成と略同一であるため、その詳細な説明を省略する。
【００５８】
第２支持用エアバッグ３４は、各支持用帯部３０が各収容部９を閉塞した状態において、各収容部９に収容された被施療者の各下肢Ｌの後部を膨張により前方に向かって押圧するように構成されている。このため、被施療者の各下肢Ｌの後部を、各支持用帯部３０の支持面３１を介して第２支持用エアバッグ３４により施療することができる。
【００５９】
一方、図９にも示すように、各支持用帯部３０の支持面３１には、指圧体４０を収納可能なポケット部３５が設けられている。ポケット部３５は上方に開口している。このポケット部３５には、指圧体４０が収納されている。すなわち、指圧体４０は、支持用帯部３０に対して着脱可能となっている。
【００６０】
指圧体４０は、例えば熱可塑性エラストマーのような弾性を有する材料からなる。指圧体４０は、平板状の板部４１と、板部４１の一方の面から突出した突起部４２，４２，…と、を有している。指圧体４０は、各支持用帯部３０のポケット部３５に収納された状態において、突起部４２，４２，…が支持面３１から前方に向かって突出するように構成されている。かかる構成により、被施療者の各下肢Ｌの後部に対して指圧効果を付与することができる。
【００６１】
さらに、図８に示すように、指圧体４０は、第２支持用エアバッグ３４の膨張により各支持用帯部３０の支持面３１とともに各収容部９に向かって移動可能となっている。これにより、被施療者の各下肢Ｌの後部に対する指圧効果をより一層高めることができる。
【００６２】
［第４実施形態］
図１０および図１１は、本発明の第４実施形態に係る下肢用マッサージ装置１を示す。この実施形態では、上記第１実施形態と比較して、支持体２０の構成が一部異なっている。なお、この実施形態に係る下肢用マッサージ装置１の他の構成は、上記第１実施形態に係る下肢用マッサージ装置１の構成と同様である。このため、以下の説明では、図１〜図６と同じ部分について同じ符号を付し、その詳細な説明を省略する。
【００６３】
この実施形態の支持体２０では、上記第１実施形態で示したフック部２３ａ，２３ａ，…、係止孔３２，３２，…、および補強部３２ａ，３２ａに代えて、以下に説明するような線ファスナ機構が設けられている。以下、この線ファスナ機構について詳述する。
【００６４】
支持体２０は、第１受台部５１を有している。第１受台部５１は、例えば四角柱状に形成されていて、中央壁部８ａの後面に取付固定されている。第１受台部５１における左右方向の両端部には、後述する第３係止部５３を着脱可能に係止するための第１係止部５１ａ，５１ａが設けられている。各第１係止部５１ａは、第１受台部５１に取り付けられた布材および線ファスナの務歯により構成されている。各第１係止部５１ａには、上記務歯に対して上下方向にスライド可能な第１スライド部５１ｂが設けられている。
【００６５】
支持体２０は、第２受台部５２，５２を有している。各第２受台部５２は、例えば四角柱状に形成されていて、側壁部８ｂの外側面に取付固定されている。各第２受台部５２の後部には、後述する第３係止部５３を着脱可能に係止するための第２係止部５２ａが設けられている。各第２係止部５２ａは、例えば各第２受台部５２に取り付けられた布材および線ファスナの務歯により構成されている。各第２係止部５２ａには、上記務歯に対して上下方向にスライド可能な第２スライド部５２ｂが設けられている。
【００６６】
支持体２０は、第３係止部５３，５３を有している。各第３係止部５３は、各支持用帯部３０において、各固定部２２の反対側に位置する端部寄りに形成されている。第３係止部５３は、線ファスナの務歯により構成されている。
【００６７】
このような線ファスナ機構を設けた形態であっても、上記第１実施形態と同様に、支持用帯部３０，３０が収容部９，９を閉塞することが可能となる。なお、この実施形態で示した上記線ファスナ機構を、上記第２および第３実施形態の各々に適用してもよい。
【００６８】
［その他の実施形態］
上記第１実施形態では、支持体２０が第１支持用エアバッグ２１，２１，…および支持用帯部３０，３０を有する形態を示したが、この形態に限られない。すなわち、図１２に示すように、支持体２０が第１支持用エアバッグ２１，２１，…のみを有する形態としてもよい。かかる形態であっても、第１支持用エアバッグ２１，２１，…の膨張状態を維持することにより、上述した支持体２０としての作用効果を奏することができる。
【００６９】
また、上記第１実施形態では、第１施療用エアバッグ１１，１１ないし第４施療用エアバッグ１４ならびに第１支持用エアバッグ２１，２１の各々が軟質樹脂材やナイロンのシート材を用いてブロー成形等により製造された形態を示したが、この形態に限られない。例えば、第１施療用エアバッグ１１，１１ないし第４施療用エアバッグ１４ならびに第１支持用エアバッグ２１，２１の各々は、軟質樹脂材やナイロンのシート材を用いて圧着成形等により製造されたものであってもよい。上記第３実施形態で示した第２支持用エアバッグ３４についても、これと同様である。
【００７０】
また、上記第１実施形態では、施療部１０が第１施療用エアバッグ１１，１１ないし第４施療用エアバッグ１４を有する形態を示したが、この形態に限られない。例えば、施療部１０が第１施療用エアバッグ１１，１１ないし第４施療用エアバッグ１４の少なくともいずれか１つのエアバッグを有する形態としてもよい。あるいは、第１施療用エアバッグ１１，１１ないし第４施療用エアバッグ１４に代えて、施療部１０が機械式の施療機構からなる形態であってもよい。上記第２および第３実施形態についても、これと同様である。
【００７１】
また、上記第１実施形態では、各収容部９に２つのカバー部１５，１５を設けた形態を示したが、この形態に限られない。例えば、１つのカバー部１５のみを各収容部９に設けた形態としてもよい。かかる形態において、１つのカバー部１５は、各収容部９に設けられた全てのエアバッグ（第１施療用エアバッグ１１，１１ないし第４施療用エアバッグ１４および後述する第１支持用エアバッグ２１，２１）を覆うように構成されていてもよい。
【００７２】
また、上記第２実施形態の変形例として、上記第３実施形態で示したポケット部３５を支持用帯部３０の支持面３１に形成しかつ上記第３実施形態で示した指圧体４０をポケット部３５に収納した形態としてもよい。かかる変形例であっても、上記第３実施形態と同様に、指圧体４０により被施療者の各下肢Ｌの後部に対して指圧効果を付与することができる。
【００７３】
また、上記第３実施形態では、指圧体４０を支持用帯部３０のポケット部３５に収納可能な形態を示したが、この形態に限られない。すなわち、上記第３実施形態で示したポケット部３５の構成に代えて、例えば面ファスナなどの図示しない他の手段により指圧体４０が支持用帯部３０に対して着脱可能となるように構成してもよい。または、指圧体４０が支持用帯部３０と一体形成されていてもよい。さらには、指圧体４０を設けない形態としてもよい。
【００７４】
以上、本発明についての実施形態を説明したが、本発明は上述の実施形態のみに限定されず、発明の範囲内で種々の変更が可能である。
【産業上の利用可能性】
【００７５】
本発明は、被施療者の下肢を施療するための下肢用マッサージ装置として産業上の利用が可能である。
【符号の説明】
【００７６】
１：下肢用マッサージ装置
２：筐体
９：収容部
１０：施療部
１１：第１施療用エアバッグ
１２：第２施療用エアバッグ
１３：第３施療用エアバッグ
１４：第４施療用エアバッグ
１５：カバー部
２０：支持体
２１：第１支持用エアバッグ
３０：支持用帯部
３１：支持面
３３：空間部
３４：第２支持用エアバッグ
３５：ポケット部
４０：指圧体
４１：板部
４２：突起部
【図１】
2020031910.tif 000003
【図２】
2020031910.tif 000004
【図３】
2020031910.tif 000005
【図４】
2020031910.tif 000006
【図５】
2020031910.tif 000007
【図６】
2020031910.tif 000008
【図７】
2020031910.tif 000009
【図８】
2020031910.tif 000010
【図９】
2020031910.tif 000011
【図１０】
2020031910.tif 000012
【図１１】
2020031910.tif 000013
【図１２】
2020031910.tif 000014